(57)【要約】【課題】収納庫の開口部を、跳ね上げ式扉で開閉自在に閉成する場合、人力による扉の跳ね上げをアシストするためにガスダンパが使用される。このガスダンパは、跳ね上げ式扉を全開した際は、その全開姿勢を維持するためにも機能しているが、故障によりシリンダ中のガス圧が抜けると扉が急激に閉まり危険である。このため、ガスダンパのシリンダに筒状カバーを外挿して、扉の跳ね上げ時にシリンダを筒状カバーで支持するようにして安全を確保している。しかし、扉の開閉の都度、ガスダンパと筒状カバーとが物理的に干渉して損傷したり、騒音を生じたりする課題がある。【解決手段】筒状カバー３０の上方内側に半径方向外方へ窪む凹溝３２を設け、扉を開放した際にシリンダ２２に対し筒状カバー３０が軸方向へ摺動して、該シリンダ２２のピストンロッド２４が前記凹溝３２に沿って案内されるようにして、筒状カバー３０とシリンダ２２との位置関係を安定させた。【選択図】図２
2018204181.tif 000002
【特許請求の範囲】
【請求項１】
内部空間に連通する開口部(12)を有する収納庫(10)と、前記収納庫(10)に枢支されて前記開口部(12)を開閉自在に閉成する跳ね上げ式扉(16)と、前記収納庫(10)に一端が固定され、他端が前記跳ね上げ式扉(16)に固定されているガスダンパ(20)と、前記ガスダンパ(20)のシリンダ(22)に外挿され、前記跳ね上げ式扉(16)を全開した際に、該シリンダ(22)を前記収納庫(10)に対し支持する筒状カバー(30)とからなるガスダンパの安全機構において、
前記筒状カバー(30)は、前記ガスダンパ(20)のシリンダ(22)に対し軸方向へ摺動可能になっていると共に、
前記筒状カバー(30)の上部内面に、半径方向外方へ窪んで前記ガスダンパ(20)のピストンロッド(24)が当接し得る凹溝(32)が形成されている
ことを特徴とするガスダンパの安全機構。
【請求項２】
前記筒状カバー(30)の下部を覆う底板(36)に通孔(38)が開設されており、前記ピストンロッド(24)に設けた取付け部材(26)を該通孔(38)に挿通することで、該筒状カバー(30)の周方向への回動が規制される請求項１記載のガスダンパの安全機構。
【請求項３】
前記筒状カバー(30)における前記通孔(38)の一部が該筒状カバー(30)の下部側面に開口(38a)を有しており、前記跳ね上げ式扉(16)を全開させて前記ガスダンパ(20)を傾けた際に、該筒状カバー(30)に溜まった水が前記開口(38a)から放出される請求項２記載のガスダンパの安全機構。
【請求項４】
前記筒状カバー(30)の底板(36)に開設した前記通孔(38)は、該筒状カバー(30)の下部側面にまで到達しており、前記跳ね上げ式扉(16)を全開させて前記ガスダンパ(20)を傾けた際に、該筒状カバー(30)に溜まった水が前記通孔(38)から放出される請求項２記載のガスダンパの安全機構。
【請求項５】
前記通孔(38)を底板(36)に開設した底面キャップ(42)が前記筒状カバー(30)とは別に用意され、この底面キャップ(42)を該筒状カバー(30)の下端部に被着するようにした請求項２〜４の何れか一項に記載のガスダンパの安全機構。
【請求項６】
前記凹溝(32)を内周面に形成したリング(34)が前記筒状カバー(30)とは別に用意され、このリング(34)を該筒状カバー(30)の上端部に被着するようにした請求項１〜５の何れか一項に記載のガスダンパの安全機構。
【請求項７】
前記筒状カバー(30)の外面に、該筒状カバー(30)の長手方向に延在するハンドル(44)が設けられている請求項１〜６の何れか一項に記載のガスダンパの安全機構。
【発明の詳細な説明】
【技術分野】
【０００１】
この発明は、貯氷庫等の収納庫における開口部を開閉する跳ね上げ式扉に配設されるガスダンパの安全機構に関するものである。
【背景技術】
【０００２】
大型の全自動製氷機の一形態として、製氷機構部と貯氷庫とが個別に設けられ、前記製氷機構を前記貯氷庫の上に重ねて使用するスタック式の製氷機が広く業務用に供されている。例えば、図１２に示す全自動製氷機は、貯氷庫１０の上に製氷機構部１１が載置されるもので、該貯氷庫１０の開口部１２が上段と下段とに分かたれ、氷取り出し用の下段開口部１２ａは、手前側に倒れる扉１４で開閉するようになっている。また、上段開口部１２ｂは、内部の清掃及びメンテナンスの用途に供されることが多く、手前上方へ跳ね上げて開口させる跳ね上げ式扉１６で開閉自在に閉成するようになっている。すなわち、前記跳ね上げ式扉１６は、前記上段開口部１２ｂの上端縁にヒンジ(図示せず)で接続されて、手前上方へ大きく跳ね上げ可能になっている。この跳ね上げ式扉１６は重量があるため、公知のガスダンパ２０を使用して跳ね上げる際の人力をアシストすると共に、該扉１６を閉じる際は、該扉１６を軽く下へ押すだけで緩徐に下降して衝撃を緩和させるようになっている。前記ガスダンパ２０は、図１３に示すように、ガス圧を封入したシリンダ２２と、該シリンダ２２から進退自在に延出しているピストンロッド２４とからなり、該シリンダ２２の上部は前記跳ね上げ式扉１６に公知の手段で遊着されている。また、前記ピストンロッド２４の開放端は取付け部材２６(例えばアイレットコネクタ)を有し、この取付け部材２６が前記貯氷庫１０の前枠に設けたブラケット２８に遊着されている。
【先行技術文献】
【特許文献】
【０００３】
【特許文献１】特開２０００−３０３７３６号公報
【発明の概要】
【発明が解決しようとする課題】
【０００４】
前記跳ね上げ式扉１６は、該扉１６を大きく跳ね上げて貯氷庫１０の上段開口部１２ｂを広く開口させた際に、前記ガスダンパ２０が該扉１６を圧力的に支持して開放姿勢を維持するから極めて便利である。しかし、前記跳ね上げ式扉１６の開放中に、前記ガスダンパ２０が故障してシリンダ２２から圧力ガスが抜けた場合、該ガスダンパ２０は扉１６の重量を支持出来なくなり、一挙に閉じてしまうことがある。このとき、メンテナンスのため作業者が上段開口部１２ｂに上半身を乗り入れたりしていると、重い跳ね上げ式扉１６に挟まれてしまう恐れがある。
【０００５】
そこで、前記ガスダンパの安全対策として、例えば特開２０００ー３０３７３６号公報に開示の提案がなされている。この発明は、ガスダンパにおけるシリンダの外側に、該シリンダを外側から囲繞する筒状カバーを配設すると共に、該筒状カバーの上端に段差部を設けたものである。使用に際しては、扉を跳ね上げることでガスダンパを一杯に延ばして該扉を下方から支持した時に、前記筒状カバーの段差部が前記ガスダンパにおけるシリンダの下方に位置している。このため、仮に前記ガスダンパが故障してガス圧が喪失し跳ね上げ式扉の支持力が無くなってシリンダが下がっても、前記筒状カバーがシリンダを機械的に当接支持することが出来るので、跳ね上げ式扉が急に閉じる事故を未然に防止し得る。
【０００６】
このように、前述したガスダンパの安全機構は事故防止の観点から非常に有益であるが、以下の如き課題も残されている。
(１)ガスダンパのシリンダと筒状カバーとは、該筒状カバーの前記段差部が該シリンダの下端部に当接しているだけであるので、跳ね上げ式扉の重量が局部的に集中する。このため、跳ね上げ式扉を開閉する度に繰り返される応力集中により、筒状カバーやシリンダが損傷する不都合がある。
(２)筒状カバーの下端部は収納庫に固定されているために、ガスダンパにおけるシリンダの中心軸と筒状カバーの中心軸とが跳ね上げ式扉を開閉する度に整列しなくなる。従って、扉を開閉する度にガスダンパと筒状カバーとが機械的に干渉して「かじり」を生じ、また不快な騒音の元になったりしている。
【０００７】
本願発明は、前述した在来のガスダンパ安全機構に内在している課題を解決するべく提案されたものであって、跳ね上げ式扉を全開した際にガスダンパが傾くことで筒状カバーは自重で摺動(スライド)し、このためピストンロッドの軸線と筒状カバーの軸線とが平行になると共に、該ピストンロッドは筒状カバーの上部内壁に設けた凹溝に当接して安定的に案内される。これにより、両部材の干渉による損傷や騒音を有効に低減させることが出来る。
【課題を解決するための手段】
【０００８】
前記課題を解決し、所期の目的を達成するため請求項１に記載の発明は、
内部空間に連通する開口部を有する収納庫と、前記収納庫に枢支されて前記開口部を開閉自在に閉成する跳ね上げ式扉と、前記収納庫に一端が固定され、他端が前記跳ね上げ式扉に固定されているガスダンパと、前記ガスダンパのシリンダに外挿され、前記跳ね上げ式扉を全開した際に、該シリンダを前記収納庫に対し支持する筒状カバーとからなるガスダンパの安全機構において、
前記筒状カバーは、前記ガスダンパのシリンダに対し軸方向へ摺動可能になっていると共に、
前記筒状カバーの上部内面に、半径方向外方へ窪んで前記ガスダンパのピストンロッドが当接し得る凹溝が形成されていることを要旨とする。
請求項１に係る発明によれば、跳ね上げ式扉を開く際にこれに伴ってガスダンパも傾くが、これにより筒状カバーは自重でスライドして動くためにピストンロッドの軸線と該筒状カバーの軸線とが平行になると共に、該ピストンロッドは該筒状カバーの凹溝で安定して案内される。従って、扉開閉時の応力集中がなくなり、また両部材の干渉による騒音を低減させることが出来る。
【０００９】
請求項２に記載の発明では、前記筒状カバーの下部を覆う底板に通孔が開設されており、前記ピストンロッドに設けた取付け部材を該通孔に挿通することで、該筒状カバーの周方向への回動が規制されることを要旨とする。
請求項２に係る発明によれば、跳ね上げ式扉を開放する際に筒状カバーが周方向へ回動するのが規制され、該筒状カバーの姿勢が定まらなくなる不都合が回避される。
【００１０】
請求項３に記載の発明では、前記筒状カバーにおける前記通孔の一部が該筒状カバーの下部側面に開口を有しており、前記跳ね上げ式扉を全開させて前記ガスダンパを傾けた際に、該筒状カバーに溜まった水が前記開口から放出されることを要旨とする。
請求項３に係る発明によれば、ガスダンパが湿気や水分の多い場所に配設された場合に予想される筒状カバーへの水の侵入に対して、筒状カバーの通孔に設けた開口から水が排出される。
【００１１】
請求項４に記載の発明では、前記筒状カバーの底板に開設した前記通孔は、該筒状カバーの下部側面にまで到達しており、前記跳ね上げ式扉を全開させて前記ガスダンパを傾けた際に、該筒状カバーに溜まった水が前記通孔から放出されることを要旨とする。
請求項４に係る発明によれば、ガスダンパが湿気や水分の多い場所に配設された場合に予想される筒状カバーへの水の侵入に対して、筒状カバーの通孔から水が排出される。
【００１２】
請求項５に記載の発明では、前記通孔を底板に開設した底面キャップが前記筒状カバーとは別に用意され、この底面キャップを該筒状カバーの下端部に被着するようにしたことを要旨とする。
【００１３】
請求項６に記載の発明では、前記凹溝を内周面に形成したリングが前記筒状カバーとは別に用意され、このリングを該筒状カバーの上端部に被着するようにしたことを要旨とする。
【００１４】
請求項７に記載の発明では、前記筒状カバーの外面に、該筒状カバーの長手方向に延在するハンドルが設けられていることを要旨とする。
請求項７に係る発明によれば、跳ね上げ式扉を閉じる際に、作業者は筒状カバーのハンドルを持って操作することで跳ね上げ式扉の支持を解除出来るため、安全性が向上する。
【発明の効果】
【００１５】
本発明によれば、跳ね上げ式扉を全開した際に、ガスダンパにおけるシリンダに対して筒状カバーが軸方向へ摺動(スライド)するので、ピストンロッドの軸線と該筒状カバーの軸線とが並列すると共に、該ピストンロッドは筒状カバーの上部内壁に設けた凹溝に安定的に当接する。このため、両部材の干渉による損傷や騒音を効果的に低減させることが出来る。
【図面の簡単な説明】
【００１６】
【図１】貯氷庫の上段開口部に設けた跳ね上げ式扉を全開した状態を示す斜視図で、ガスダンパに本発明の実施例に係る筒状カバーが外挿されている。
【図２】(ａ)は、本発明の実施例に係る筒状カバーの一部切欠き斜視図であり、(ｂ)は、(ａ)に示す筒状カバーの平面図である。
【図３】(ａ)は、筒状カバーの上端部にリングを外嵌めすると共に、その下端部に底面キャップを外嵌めした状態を示す斜視図であり、(ｂ)は、(ａ)に示す筒状カバーの中間を省略した縦断面図である。
【図４】図３(ａ)に示すリングの斜視図である。
【図５】跳ね上げ式扉を開放している途中のガスダンパの斜視図である。
【図６】跳ね上げ式扉を全開した際のガスダンパにおけるシリンダと筒状カバーとの位置関係を示す斜視図である。
【図７】下端部に底面キャップを外嵌めした筒状カバーに、ピストンロッドの取付け部材を挿入する状態を示す斜視図である。
【図８】筒状カバーの下端部に外嵌めした底面キャップの通孔に、ピストンロッドの取付け部材を挿通した状態を示す縦断面図である。
【図９】筒状カバーの内側下端にキャップを内挿した場合に、キャップに開設した通孔の一方が筒状カバーの内側面にまで到達している状態を示す説明図であって、(ａ)は斜視図であり、(ｂ)は下部縦断面図である。
【図１０】筒状カバーにハンドルを設けた状態を示す側面斜視図である。
【図１１】跳ね上げ式扉を完全に閉じた際の筒状カバーとシリンダとの位置関係を示す斜視図である。
【図１２】従来公知の貯氷庫の概略斜視図であって、上段開口部に設けた跳ね上げ式扉および下段開口部に設けた扉を開放させた状態を示す概略斜視図である。
【図１３】ガスダンパのシリンダを跳ね上げ式扉に取り付けると共に、該シリンダのピストンロッドの開放端を貯氷庫に取り付けた状態を示す拡大斜視図である。
【発明を実施するための形態】
【００１７】
次に、本発明に係るガスダンパの安全機構につき、好適な実施例を挙げて図面を参照して説明する。本発明の実施例が応用される対象としては、大型製氷機における貯氷庫を例示するが、何等かの物品が収容される箱体であって、内部に連通する開口部を開閉自在に閉成する跳ね上げ式扉を備えるものであれば、物品収納庫や冷凍貯蔵庫等であっても良い。なお、実施例に示す貯氷庫に関する部材で、図１２および図１３に関して説明した部材と同一の部材については、同じ符号を付して詳細な説明は省略する。
【００１８】
図１は、大型製氷機における貯氷庫１０を部分的に示す斜視図であって、該貯氷庫１０の上に載置される製氷機構は省略してある。図１に示す跳ね上げ式扉１６を開放させる際の跳ね上げ力をアシストする前記ガスダンパ２０には、前述した筒状カバー３０が前記シリンダ２２に外挿されている。本実施例に係る筒状カバー３０は、基本的に図２(ａ)に示す構成になっている。すなわち前記筒状カバー３０には、図２(ｂ)に示すように、該筒状カバー３０の上部内面に、半径方向の外方へ窪んだ凹溝３２が形成されている。この凹溝３２は、前記ピストンロッド２４における外周を部分的に無理なく収容し得る寸法の半円状凹部になっている。
【００１９】
前記凹溝３２は、前記筒状カバー３０が所要の肉厚を有している場合は、図２(ｂ)に示した如く、その上部内方に直接凹設される。しかし多くの場合、筒状カバー３０の肉厚は前記凹溝３２を凹設し得る程の寸法はない。そこで、図３(ｂ)および図４に示すように、例えば硬質で剛性の高い合成樹脂を材質として、前記筒状カバー３０の上端部に密着的に外嵌め可能なリング３４を別途用意し、このリング３４の内周に前記凹溝３２を凹設することが推奨される。このように、前記リング３４を筒状カバー３０の上端部に外嵌めするときは、扉開放時にシリンダ２２を介して伝わる負荷に耐え得るように、図３(ｂ)の縦断面に示す如く、リング開口の内径をカバー外径よりも小さく設定してある。また、リング３４に凹設した前記凹溝３２は、筒状カバー３０の内周面と略面一になっている。なお、前記リング３４は、図３(ａ)および図４に示すように、半弧状の段差部３４ａを有し、前記跳ね上げ式扉１６が故障で閉じかけた際は、前記シリンダ２２の下端が該段差部３４ａに当接して定位置で停止する。
【００２０】
このように、筒状カバー３０(におけるリング３４)の上部内面に凹溝３２を設けた場合、図５に示すように、跳ね上げ式扉１６を跳ね上げるにつれて、前記ガスダンパ２０のシリンダ２２は筒状カバー３０と共に手前側へ次第に傾く。すると前記筒状カバー３０は軸方向へ自重で全体が摺動(スライド)し、該シリンダ２２から延出する前記ピストンロッド２４は、図６に示す如く、筒状カバー３０の凹溝３２に当接して安定的に案内されるに到る。すなわち、前記跳ね上げ式扉１６を開放する度に、図６に示す如く、ガスダンパ２０におけるピストンロッド２４の軸線と筒状カバー３０の軸線とが略平行に並列すると共に、該ピストンロッド２４は筒状カバー３０の凹溝３２に案内されて安定する。このため、ピストンロッド２４と筒状カバー３０との間で「かじり」を生じたり、ガタついたりすることが無くなり、また操作時の騒音も低減される。なお、跳ね上げ式扉１６の全開時に、ガスダンパ２０におけるシリンダ２２の下端が前記筒状カバー３０の段差部３４ａに当接してストッパーとなり、仮に該ガスダンパ２０が故障してガス圧が抜けても該跳ね上げ式扉１６が突然落下する事態が防止されるのは従来通りである。
【００２１】
前記筒状カバー３０の下部には底板３６が設けられており、この底板３６には、図２、図７および図８に示す如く、矩形状の通孔３８が開設されている。前記矩形状の通孔３８は、前記ピストンロッド２４の下部に設けた取付け部材２６を挿入し得る寸法に設定されている。ここで前記取付け部材２６は、図７に示すように、中央にボルト挿通用の円孔４０を設けた扁平なアイレットコネクタになっている。従って、前記通孔３８の形状は、前記扁平な取付け部材２６を余裕をもって挿入可能であるが、前記ピストンロッド２４が周方向へ回転するのは阻止し得る形状および寸法設定になっている。このため、前記ピストンロッド２４の取付け部材２６を筒状カバー３０の通孔３８へ差し込んだ際は、該通孔３８と該取付け部材２６との前述した形状関係により、該筒状カバー３０が周方向へ回動するのが規制されて安定する。
【００２２】
なお、図２(ａ)に示す如く、前記底板３６は筒状カバー３０の底部に一体的に形成されているが、前記リング３４の場合と同様に、図７および図８に示す如く、別体として硬質で剛性の高い合成樹脂により形成した底面キャップ４２を使用するようにしても良い。すなわち、前記底面キャップ４２は有底円筒体として構成され、その底面に前記通孔３８が開設されている。そして、前記底面キャップ４２を筒状カバー３０の下端縁に外嵌めすることにより、該筒状カバー３０の底部を塞ぐことが出来る。なお、前記通孔３８は、図２(ａ)、図７および図８に示す如く、その一部が筒状カバー３０の下部側面に開口３８ａとして開設しておくのが好ましい。しかし、前記キャップ４２を筒状カバー３０に外嵌めするのではなく、図９(ａ)および(ｂ)に示すように、該筒状カバー３０の下部内周面に内嵌めするようにしても良い。この場合は、キャップ４２は筒状カバー３０の底板３６にもなるものである。また前記通孔３８は、図９(ａ)から判明するように、筒状カバー３０の下部側面にまで到達している。これにより、前記跳ね上げ式扉１６を全開させて前記ガスダンパ２０を傾けた際に、筒状カバー３０に溜まった水はカバー側面の前記開口３８ａから放出されて便利である。
【００２３】
ところで、前記跳ね上げ式扉１６を跳ね上げて全開し、筒状カバー３０の段差部３４ａで前記シリンダ２２の下端を支持することにより跳ね上げ式扉１６を全開位置にサポートした場合において、該跳ね上げ式扉１６を閉じるときは、作業者が筒状カバー３０を片手で把持すると共に、他方の手で跳ね上げ式扉１６を若干上方へ付勢してから、該筒状カバー３０を斜め上方へスライドさせる操作を必要とする。この場合、跳ね上げ式扉１６は重量があるため、片手で筒状カバー３０をスライドさせる際に手を挟んだりして危険なことがある。そこで、図１０および図１１に示す如く、筒状カバー３０の外面に、該筒状カバー３０の長手方向に延在するハンドル４４を設ければ、作業者は該ハンドル４４を把持すれば良いので、安全に操作することが出来る。なお、筒状カバー３０における前記ハンドル４４の取り付け個所(乃至方向)としては、図１０および図１１に示すように、跳ね上げ式扉１６の開閉方向に指向する位置とすることが肝要である。仮に、ハンドル４４を筒状カバー３０における扉開閉方向の右側に設けると、跳ね上げ式扉１６で手を挟んでしまう可能性がある。また、扉開閉方向の左側に設けると、筒状カバー３０をスライドさせる方向と異なるため、操作し難くなってしまう。
【００２４】
先に述べたように、本発明の実施例に係る筒状カバー３０は、図２(ａ)に示す如く、一本の筒状体に前記凹溝３２を設けると共に、底板３６に通孔３８を設けるようになっている。しかし、図３および図４に示すように、凹溝３２を形成したリング３４と、通孔３８を開設した底面キャップ４２とを別途設けて、これらを筒状カバー３０の上下に夫々被着するようにしても良い。
【符号の説明】
【００２５】
１０  貯氷庫(収納庫),１２  開口部，１６  跳ね上げ式扉，２０  ガスダンパ，
２２  シリンダ，２４  ピストンロッド，２６  取付け部材，３０  筒状カバー，
３２  凹溝，３４  リング，３６  底板，３８  通孔，３８ａ  開口，
４２  底面キャップ，４４  ハンドル
【図１】
2018204181.tif 000003
【図２】
2018204181.tif 000004
【図３】
2018204181.tif 000005
【図４】
2018204181.tif 000006
【図５】
2018204181.tif 000007
【図６】
2018204181.tif 000008
【図７】
2018204181.tif 000009
【図８】
2018204181.tif 000010
【図９】
2018204181.tif 000011
【図１０】
2018204181.tif 000012
【図１１】
2018204181.tif 000013
【図１２】
2018204181.tif 000014
【図１３】
2018204181.tif 000015